(57)【要約】    【課題】磯の表面に確実にグリップし、安定して磯の上に配置される釣用バケツの提供。    【解決手段】この釣用バケツ１０は、容器状の本体１１を備える。本体１１は、釣り場上に載置される底面部１５及び側壁部１４を有する。底面部１５は、ＥＶＡシートからなり、釣り場の凹凸形状に追従して変形し得る可撓性を有する。側壁部１４は、底面部１５の変形に伴って屈曲される屈曲部３３を有する。底面部１５は、ＥＶＡシートからなり、その肉厚寸法は１．３ｍｍ〜２．２ｍｍである。屈曲部３３は、ＥＶＡシートからなり、略二等辺三角形状に形成されている。屈曲部３３は、側壁部１４の一部を構成しており、その周囲の部分（主体部３２）よりも肉厚寸法が小さく設定されている。【選択図】図１
2005323526.tif 000002
【特許請求の範囲】
【請求項１】
釣り場上に載置される底面部及び底面部の周囲に設けられた側壁部を有する容器状の本体を備えた釣用バケツであって、
上記底面部は、釣り場の凹凸形状に追従して変形し得る可撓性を有し、
上記側壁部は、上記底面部の変形に伴って屈曲される屈曲部を有する釣用バケツ。
【請求項２】
上記底面部は、肉厚寸法が１．３ｍｍ〜２．２ｍｍである樹脂シートからなり、
上記屈曲部は、上記側壁部の一部を構成するように当該側壁部と一体的に樹脂シートにより形成され、且つ肉厚寸法が上記側壁部を構成する他の部分の肉厚寸法よりも小さく設定されている請求項１に記載の釣用バケツ。
【請求項３】
上記底面部は、一対の長辺及び一対の短辺を有する矩形樹脂シートからなり、
上記側壁部は、上記一対の長辺にそれぞれ連続する一対の長壁面部及び上記一対の短辺にそれぞれ連続する一対の短壁部を有しており、
上記屈曲部は、上記一対の長壁面部にそれぞれ設けられ、上記底面部の長辺に連続する部分を底辺とする三角形樹脂シートからなる請求項２に記載の釣用バケツ。
【請求項４】
上記屈曲部は、肉厚寸法が０．８ｍｍ〜１．７ｍｍである樹脂シートからなり、上記長壁面部に融着されている請求項３に記載の釣用バケツ。
【発明の詳細な説明】
【技術分野】
【０００１】
本発明は、釣りの際に使用されるバケツに関するものである。
【背景技術】
【０００２】
図３は、従来の一般的な釣用バケツの正面図である。
釣用バケツ１は、容器状に形成された本体２を備え、この本体２に一対の把手３が設けられている。釣用バケツ１は、一般に合成樹脂等により構成されるから、軽量であり、釣人にとって携帯に便利なものである。釣用バケツ１は、さまざまな用途に使用される。釣用バケツ１が例えば磯釣りに供される場合には、一般に撒き餌入れとして使用され、磯の上に直接載置される。
【０００３】
釣用バケツ１に撒き餌が大量に収容されているときは、釣用バケツ１は、当該撒き餌の重量によって磯４の上に安定して載置される。ところが、撒き餌が残り少なくなった場合等では、撒き餌を収容した釣用バケツ１全体の重量が小さくなり、釣用バケツ１は、磯４の上で不安定となる。特に磯４にコケやノリ等が付着しているときには、釣用バケツ１と磯４との間で滑りが生じ、釣りバケツ１は、きわめて不安定に磯４上に載置されることになる。この問題が解決されるために、従来の釣用バケツ１では、底部分５に滑止部材が貼り付けられたものが提供されている（例えば特許文献１参照）。
【０００４】
【特許文献１】特開２００３−２０４７４４公報
【発明の開示】
【発明が解決しようとする課題】
【０００５】
本発明は、かかる背景の下になされたものであって、その目的は、磯の表面に確実にグリップし、安定して磯の上に配置される釣用バケツを提供することである。
【課題を解決するための手段】
【０００６】
(1) 上記目的が達成されるため、本発明に係る釣用バケツは、釣り場上に載置される底面部及び底面部の周囲に設けられた側壁部を有する容器状の本体を備えた釣用バケツであって、上記底面部は、釣り場の凹凸形状に追従して変形し得る可撓性を有し、上記側壁部は、上記底面部の変形に伴って屈曲される屈曲部を有することを特徴とするものである。
【０００７】
この発明では、釣用バケツが例えば凹凸の激しい磯等（釣り場）に置かれたときは、底面部が磯と当接する。この底面部は可撓性を備えているから、磯の凹凸形状に追従して変形すると共に、この底面部の変形に伴って屈曲部が屈曲する。つまり、当該釣用バケツは、磯の凹凸形状に対応して底面部及び側壁部が変形する。したがって、底面部が磯に確実にクリップする。
【０００８】
(2) 上記底面部は、肉厚寸法が１．３ｍｍ〜２．２ｍｍである樹脂シートから構成され得る。上記屈曲部は、上記側壁部の一部を構成するように当該側壁部と一体的に樹脂シートにより形成され、且つ肉厚寸法が上記側壁部を構成する他の部分の肉厚寸法よりも小さく設定されているのが好ましい。
【０００９】
この構成では、底面部及び側壁部が樹脂シートにより構成されるから、両者は安価に且つ容易に変形するように構成される。特に、底面部の肉厚寸法が上記寸法に設定されることにより、底面部がきわめて容易に変形し得るものとなり、しかも、屈曲部の肉厚寸法が側壁部を構成する他の部分の肉厚寸法よりも小さく設定されるので、当該釣用バケツ全体が変形しやすいものとなる。その結果、底面部が磯に一層確実にクリップする。
【００１０】
(3) 上記底面部は、一対の長辺及び一対の短辺を有する矩形樹脂シートから構成され得る。上記側壁部は、上記一対の長辺にそれぞれ連続する一対の長壁面部及び上記一対の短辺にそれぞれ連続する一対の短壁部を有して構成され得る。上記屈曲部は、上記一対の長壁面部にそれぞれ設けられ、上記底面部の長辺に連続する部分を底辺とする三角形樹脂シートから構成され得る。
【００１１】
この構成では、底面部の長辺が屈曲ないし湾曲することによって、側壁部を構成する長壁面部が座折するように変形する。つまり、容器状の本体が折れ曲がるように変形し、これによって底面部が磯に確実にグリップする。この場合、上記屈曲部は、肉厚寸法が０．８ｍｍ〜１．７ｍｍである樹脂シートからなり、上記長壁面部に融着されているのが好ましい。
【発明の効果】
【００１２】
本発明によれば、釣り場の凹凸形状に合わせて底面部及び側壁部が変形するので、当該底面部が釣り場の表面に確実にグリップする。したがって、釣用バケツが凹凸の激しい磯の上に載置された場合であっても、当該磯に対して滑りが生じることなく、安定して載置される。
【発明を実施するための最良の形態】
【００１３】
以下、適宜図面が参照されつつ、好ましい実施形態に基づいて本発明が詳細に説明される。
【００１４】
図１は、本発明の一実施形態に係る釣用バケツの斜視図である。また、図２は、図１におけるII−II断面図である。
【００１５】
この釣用バケツ１０は、例えば魚釣りの際に使用され、魚釣りの道具やエサ等さまざまなものが収容される。釣用バケツ１０は、本体１１と、本体１１に設けられた蓋１２と、一対の把手１３とを有する。本体１１は、容器状に形成されており、側壁部１４と底面部１５とを備えている。
【００１６】
側壁部１４は、断面形状が矩形の筒状に形成されており、対向する一対の長壁面部３０と、対向する一対の短壁面部３１とを有している。さらに、この長壁面部３０は、主体部３２と屈曲部３３とを有している。屈曲部３３は、長壁面部３０の一部を構成し、その剛性が低く設定されている。このため、屈曲部３３は、後述されるように容易に屈曲し得るようになっている。また、主体部３２は、長壁面部３０のうち上記屈曲部３３以外の部分（側壁部を構成する他の部分）を構成しており、その剛性は、屈曲部３３よりも大きく設定されている。
【００１７】
側壁部１４は、例えばＥＶＡ（エチレン酢酸ビニル共重合体）等の合成樹脂により構成されている。本実施形態では、側壁部１４はＥＶＡシートからなり、主体部３２は、肉厚寸法が２．０ｍｍに設定され、屈曲部３３は、肉厚寸法が１．５ｍｍに設定されている。なお、上記短壁面部３１は、肉厚寸法が上記主体部３２と同様に設定されており、本実施形態では、２．０ｍｍに設定されている。ただし、主体部３２の肉厚寸法は、１．３ｍｍ〜２．２ｍｍの範囲で設定され、これに対応して屈曲部３３の肉厚寸法は、０．８ｍｍ〜１．７ｍｍに設定される。この場合、主体部３２の肉厚寸法の方が、屈曲部３３の肉厚寸法よりも常に大きく設定される。
【００１８】
屈曲部３３は、本実施形態では、図１が示すように三角形状に形成されている。具体的には、屈曲部３３は、略二等辺三角形状に形成されており、その底辺部分が上記長壁面部３０の下縁部分を構成している。屈曲部３３は、予め三角形状に裁断され、主体部３２に対して熱融着される。この場合、屈曲部３３に主体部３２と重なり合う部分（融着代）が設けられていることが好ましい。もっとも、屈曲部３３は、主体部３２に接着剤等により固着されてもよく、また、主体部３２と共に単一の部材として形成されていてもよい。
【００１９】
一方、底面部１５は、長辺３４及び短辺３５を有する矩形状に形成されている。底面部１５は、可撓性を有するシート状部材からなり、典型的には、例えばＥＶＡシート等の合成樹脂が採用される。本実施形態では、底面部１５の肉厚寸法は、２．０ｍｍに設定されている。底面部１５の肉厚寸法は、１．３ｍｍ〜２．２ｍｍの範囲で設定され得るが、常に上記屈曲部３３の肉厚寸法よりも大きく設定されていることが望ましい。
【００２０】
図２が示すように、側壁部１４の下縁部１６（すなわち、上記屈曲部３３の底辺部分及び上記短壁面部３１の下縁部分）と底面部１５の周縁部１７とは、熱融着により、あるいは接着剤により接合されている。具体的には、上記屈曲部３３の底辺部分が底面部１５の長辺３４に沿って配置され、上記短壁面部３１の下縁部分が底面部１５の短辺３５に沿って配置される。
【００２１】
長壁面部３０の側壁部１４の下縁部１６は、予め外側へ拡げられて、接合部３６が形成されている。この接合部３６が上記周縁部１７に接合されることによって、側壁部１４と底面部１５とは、強固に接合され得る。このように側壁部１４と底面部１５とが接合されることによって、底面部１５の一対の長辺に上記一対の長壁面部３０が連続し、底面部１５の一対の短辺に上記一対の短壁面部３１が連続することになる。
【００２２】
図１が示すように、側壁部１４には、把手１３を支持するステー１８が設けられている。このステー１８は、例えばＥＶＡ等の合成樹脂により構成される。ステー１８は、側壁部１４と一体的に形成されていてもよいが、別部材として構成され、側壁部１４に融着されていてもよい。本実施形態では、ステー１８は支持ピン１９を備えており、把手１３は、この支持ピン１９によって回動自在に支持されている。
【００２３】
把手１３は、側壁部１４の両側面にそれぞれ設けられている。把手１３は、側壁部１４と同様に、例えばＥＶＡ等の合成樹脂により構成される。本実施形態では、把手１３の端部２０は、略Ｕ字状に形成されており、この端部２０が上記支持ピン１９によって支持されている。これにより、把手１３は、矢印２１の方向に回動自在となっている。
【００２４】
蓋１２は、ファスナー２２によって側壁部１４の上縁部に取り付けられている。蓋１２は、矩形のシート状部材であって、例えばＥＶＡ等の合成樹脂により構成されている。したがって、ファスナー２２が操作されることによって、蓋１２は、本体１１を開閉することができる。
【００２５】
本実施形態に係る釣用バケツ１０が例えば凹凸の激しい磯等の上に置かれた場合は、上記底面部１５と磯とが当接する。このとき、この底面部１５は可撓性を備えているから、磯の凹凸形状に追従して変形する。さらに、上記屈曲部３３は、その周囲の部分（すなわち上記主体部３２）よりも肉厚寸法が小さく設定されており、剛性が低く抑えられているから、底面部１５の変形に伴って屈曲部３３が容易に屈曲する。したがって、磯の凹凸形状に対応して底面部１５及び側壁部１４が変形し、底面部１５が磯に確実にクリップする。その結果、釣用バケツ１０が凹凸の激しい磯の上に載置された場合であっても、当該磯に対して滑りが生じることなく、安定して載置される。
【００２６】
本実施形態では、上記底面部１５及び側壁部１４がＥＶＡシートにより構成されるから、両者は容易に変形することができ、しかも安価に構成される。これにより、釣用バケツ１０の製造コストの上昇が抑えられる。特に、上記底面部１５及び屈曲部３３の肉厚寸法が前述の寸法に設定されることにより、底面部１５がきわめて容易に変形し得るものとなる。その結果、底面部１５が磯に一層確実にクリップする。
【００２７】
また、上記屈曲部３３が略二等辺三角形状に形成されるので、底面部１５の長辺３４が屈曲ないし湾曲することによって、側壁部１４を構成する長壁面部３０が座折するように変形する。つまり、本体１１が折れ曲がるように変形し、これによって底面部１５が磯に確実にグリップするという利点がある。
【００２８】
本実施形態では、上記側壁部１４が容易に屈曲されるように上記屈曲部３３が略二等辺三角形状に形成されているが、屈曲部３３の形状はかかる形状に限定されるものではなく、他の形状が採用されてもよいことは勿論である。要するに、上記底面部１５が変形して磯の表面に確実にグリップするために、側壁部１４が容易に屈曲されるように上記屈曲部３３が形成されていればよい。
【００２９】
また、本実施形態では、上記屈曲部３３は、上記側壁部１４の長壁面部３０にのみ設けられているので、上記短壁面部３１は一定の剛性が確保される。したがって、当該釣用バケツ１０に撒き餌が収容される場合には、釣人は、撒き餌用の柄杓で撒き餌をすくい取り、上記短壁面部３１に柄杓を押し付けることによって、撒き餌を当該柄杓で簡単且つ確実にすくうことができる。もっとも、上記屈曲部３３は、上記短壁面部３１にも設けられていてもよいことは勿論である。
【産業上の利用可能性】
【００３０】
本発明は、釣りの際に使用される釣用バケツに適用され得る。
【図面の簡単な説明】
【００３１】
【図１】図１は、本発明の一実施形態に係る釣用バケツの斜視図である。
【図２】図２は、図１におけるII−II断面図である。
【図３】図３は、従来の一般的な釣用バケツの正面図である。
【符号の説明】
【００３２】
１０・・・釣用バケツ
１１・・・本体
１２・・・蓋
１３・・・把手
１４・・・側壁部
１５・・・底面部
１６・・・下縁部
１７・・・周縁部
３０・・・長壁面部
３１・・・短壁面部
３２・・・主体部
３３・・・屈曲部
３４・・・長辺
３５・・・短辺
３６・・・接合部
【図１】
2005323526.tif 000003
【図２】
2005323526.tif 000004
【図３】
2005323526.tif 000005